(57)【特許請求の範囲】
【請求項１】
複数の光源と、これら光源の各々に対し、正弦波の動作電圧と矩形波の制御電圧とを重畳してなる点灯電力をそれぞれ供給する、商用電源から電力供給される複数の電源回路と、を備えた調光制御システムであって、
少なくとも隣接する前記複数の電源回路の相互間で、１つの電源回路における制御電圧の矩形波の立上りのタイミングが、他の電源回路のそれと相違するように複数の電源回路を制御する制御手段を備え、
前記制御手段は、オフデューティを有する矩形波の立上りのタイミングが相違する２つの電源回路のうち、一方の電源回路における前記矩形波の立上りのタイミングが、動作電圧の交流波形のゼロクロスの時点となり、他方の電源回路における前記矩形波の立上りのタイミングが、前記ゼロクロス点から前記矩形波のオフデューティに相当する期間が経過した時点となるように制御することを特徴とする調光制御システム。
【発明の詳細な説明】
【技術分野】
【０００１】
本発明は、交流動作電圧と矩形波の制御電圧を重畳してなる電力により、光源を点灯制御する調光制御システムに関する。
【背景技術】
【０００２】
従来、光源を調光する調光器において、交流電源を矩形波にてオン／オフし、矩形波のパルスデューティを制御することにより、光源に印加する交流電源のオン時間を制御して調光制御するものが知られている。例えば、特許文献１には、交流電源と光源との間に設けたスイッチング素子にトリガ信号を与え、予め設定された時分割期間においてスイッチングさせることにより、光源と交流電源との接続を矩形波にてオン、オフして調光制御する調光器が示されている。
【０００３】
しかしながら、このような調光器においては、複数の光源に対して点灯電力をそれぞれ供給する複数の電源回路を備えていると、各電源回路における矩形波のオンデューティの立上りのタイミングが略同じとなるため、各電源回路に電力を供給する商用電源施設には、突入電流が集中することになる。従って、電力供給能力を高める必要があり、電源効率が低下し易い。また、矩形波の立上り時に、電波ノイズが発生し易い。
【特許文献１】特開２００７−１２８６６９号公報
【発明の開示】
【発明が解決しようとする課題】
【０００４】
本発明は、上記の問題を解決するためになされたものであり、複数の光源に対し、それぞれ交流電源を矩形波でオン、オフして点灯制御する商用電源から電力供給される複数の電源回路を設けた調光制御システムにおいて、各電源回路の矩形波に基く突入電流が集中しないようにして、電源効率を向上することができる調光制御システムを提供することを目的とする。
【課題を解決するための手段】
【０００５】
上記目的を達成するために請求項１の発明は、複数の光源と、これら光源の各々に対し、正弦波の動作電圧と矩形波の制御電圧とを重畳してなる点灯電力をそれぞれ供給する、商用電源から電力供給される複数の電源回路と、を備えた調光制御システムであって、少なくとも隣接する前記複数の電源回路の相互間で、１つの電源回路における制御電圧の矩形波の立上りのタイミングが、他の電源回路のそれと相違するように複数の電源回路を制御する制御手段を備えたものである。
【０００６】
また、当該請求項１に記載の調光制御システムにおいて、前記制御手段は、オフデューティを有する矩形波の立上りのタイミングが相違する２つの電源回路のうち、一方の電源回路における前記矩形波の立上りのタイミングが、動作電圧の交流波形のゼロクロスの時点となり、他方の電源回路における前記矩形波の立上りのタイミングが、前記ゼロクロス点から前記矩形波のオフデューティに相当する期間が経過した時点となるように制御するものである。
【発明の効果】
【０００７】
請求項１の発明によれば、複数の電源回路における制御電圧の矩形波が全て同じタイミングで立上ることがなく、矩形波による突入電流が分散されるので、商用電源の最大供給電流を低下することができると共に、電力の使用が時間的に平準化され、電源効率が向上する。
【０００８】
また、請求項１の発明によれば、さらに、２つの電源回路の矩形波による突入電流の集中がより低減され、電源効率がより向上する。
【０００９】
以下、本発明の第１の実施形態に係る調光制御システム（以下、本システムという）について、図１乃至図７を参照して説明する。本システムは、図１に示すように、複数の光源１０と、この光源１０に対し、点灯電力を供給する複数の電源回路２０と、本システム全体を制御するシステム制御部（制御手段）３０と、システム制御部３０と複数の電源回路２０とを無線で結ぶ通信路４０と、を備える。また、各電源回路２０には、家屋等内の商用電源の電力供給を行う主電源部５０から電力給電線５１を介して動作電力が供給される。なお、通信路４０は、有線の伝送路でもよい。
【００１０】
光源１０は、電源回路２０により点灯される照明灯であり、システム制御部３０により調光制御される。また、この光源１０には、白熱球、蛍光灯、ＬＥＤ等を使用することができる。
【００１１】
電源回路２０は、交流電源部２１、設定部２２、電圧制御部２３、電圧重畳部２４、及びフィルタ部２５を備える。交流電源部２１は、正負の値を交互に示す波形パターンを成す正弦波の動作電圧Ｖ１を電圧重畳部２４に供給する交流電源である。設定部２２は、システム制御部３０からの調光制御信号に基き、光源１０の調光率を設定すると共に、電圧制御部２３の制御電圧Ｖ２の矩形波の立上り時間を設定する。電圧制御部２３は、設定部２２で設定された調光率と立上り時間を基に、周波数ｆの矩形波の制御電圧Ｖ２を発生し、この制御電圧Ｖ２により光源１０を点灯制御する。この電圧制御部２３による点灯制御は、設定部２２で設定された調光率に基いて、制御電圧Ｖ２の矩形波のパルス幅を制御して行われる。電圧重畳部２４は、動作電圧Ｖ１と制御電圧Ｖ２を重畳して、重畳出力電圧Ｖ３を出力する。フィルタ部２５は、電圧重畳部２４からの重畳出力電圧Ｖ３を平滑し、光源１０を点灯する点灯電圧Ｖ４を出力する。また、交流電源部２１には、主電源部５０から動作電力が供給される。
【００１２】
システム制御部３０は、操作部３１と、無線通信部３２とを有する。操作部３１は、ユーザが操作して各光源１０の調光率と、各電源回路２０における矩形波の立上りのタイミングを決めるための立上り時間を指定するためのものであり、これらの指定のために、予め各電源回路２０の調光システム番号を記憶している。この操作部３１の指示により、システム制御部３０は、少なくとも１つの電源回路２０における制御電圧の矩形波の立上りのタイミングが、他の電源回路２０のそれと相違するように複数の電源回路２０を制御する。無線通信部３２は、操作部３１で指定された調光率と各調光システム番号に対応する電源回路２０の矩形波の立上り時間とに基いて、光源１０を調光制御するための調光率信号と、立上り時間信号と、調光システム番号と含む調光制御信号を形成し、この調光制御信号を各調光システム番号に対応する電源回路２０に送信する。なお、システム制御部３０が行う各種制御処理は、ＣＰＵ等により具体化される。また、システム制御部３０からの調光制御信号の送信には、照明機材間のデータ通信を行うためのプロトコルであるＤＭＸ（Digital Multiplex）を用いる。このため、システム制御部３０は、操作部３１で指定された調光率と立上り時間とを含む調光制御信号をＤＭＸデータに変換し、このＤＭＸデータを無線通信部３２より送信する。
【００１３】
図２に示すように、電源回路２０内の電圧重畳部２４は、半導体のスイッチング素子として、トランジスタＱ１、Ｑ２を備える。なお、スイッチング素子としては、ＭＯＳＦＥＴ、バイポーラトランジスタ、及びダイオード等を使用できる。フィルタ部２５は、同じチョークコイルＬ１、Ｌ２と電解コンデンサＣ１を備えた低域通過フィルタからなる平滑フィルタであり、チョークコイルＬ１、Ｌ２は、それぞれトランジスタＱ１、Ｑ２の各エミッタに接続され、チョークコイルＬ１、Ｌ２の出力側の端子は、コンデンサＣ１で終端されている。このフィルタ部２５は、電圧重畳部２４の重畳出力電圧Ｖ３を平滑して点灯電圧Ｖ４を出力する。
【００１４】
電圧重畳部２４のトランジスタＱ１、Ｑ２のコレクタには、図３（ａ）に示される正弦波の動作電圧Ｖ１が印加され、それらの各ベースには、電圧制御部２３で形成された図３（ｂ）に示される矩形波の制御電圧Ｖ２が入力される。この結果、図３（ｃ）に示されるように、トランジスタＱ１、Ｑ２の各エミッタの出力電圧は、正弦波の動作電圧Ｖ１が制御電圧Ｖ２の矩形波によりオン、オフされた波形となり、正弦波の動作電圧Ｖ１と制御電圧Ｖ２の矩形波が重畳された重畳出力電圧Ｖ３が出力される。ここで、動作電圧Ｖ１と制御電圧Ｖ２との重畳とは、制御電圧Ｖ２の矩形波により動作電圧Ｖ１をスイッチングしてオン、オフさせることを言い、そのオン、オフされた出力が重畳出力電圧Ｖ３となる。この重畳出力電圧Ｖ３は、フィルタ部２５に入力される。
【００１５】
フィルタ部２５に入力された重畳出力電圧Ｖ３は、重畳された矩形波がフィルタ部２５により平滑され、このフィルタ部２５の出力は、図３（ｄ）に示されるように、動作電圧Ｖ１より電圧レベルが低下する点灯電圧Ｖ４となる。この平滑された点灯電圧Ｖ４は、光源１０に印加され、光源１０を点灯する。また、重畳出力電圧Ｖ３がフィルタ部２５によって平滑される際、点灯電圧Ｖ４に重畳されている矩形波の周波数成分がフィルタ部２５の低域通過フィルタの特性により濾過されて低減される。
【００１６】
図４に示すように、設定部２２は、無線通信部２６、立上り設定部２７及び制御電圧決定部２８を備える。また、設定部２２には、予め電源回路２０毎のアドレス等で割り当てられた調光システム番号が設定されている。この調光システム番号は、システム制御部３０から各電源回路２０に送信される調光制御信号の中に含まれる調光システム番号を検出して設定することができ、また、各設定部２２に設けられたディップスイッチにより予めユーザが設定することができる。無線通信部２６は、システム制御部３０から送信されたＤＭＸデータを無線の通信路４０を介して受信して、この受信したＤＭＸデータを基に、調光制御信号を復調する。また、無線通信部２６は、復調した調光制御信号に含まれる調光率信号、調光システム番号及び立上り時間信号から操作部３１で指定された調光率を設定すると共に、自電源回路２０に対応する立上り時間を検出し、この立上り時間を立上り設定部２７に入力する。
【００１７】
立上り設定部２７は、無線通信部２６で検出された立上り時間に基き、制御電圧Ｖ２の周波数ｆの矩形波の立上りのタイミングである立上り時間を設定する。なお、この立上り時間の設定は、例えば、立上り設定部２７で正弦波の動作電圧Ｖ１のレベルを検出し、この正弦波の動作電圧Ｖ１のある一定の値を基準点（例えば、ゼロクロス点（図８（ａ）参照））とし、この基準点に基いて立上り時間を決めることにより行うことができる。このとき、立上り設定部２７にボリュウムなどを設けて、ユーザが予め立上り時間を個々に設定することもできる。
【００１８】
制御電圧決定部２８は、無線通信部で設定された調光率と、立上り設定部２７で設定された立上り時間とを基に、制御電圧Ｖ２の周波数ｆの矩形波の調光率と立上り時間を決定し、この決定された調光率と立上り時間の設定値を電圧制御部２３に入力して電圧制御部２３を制御する。
【００１９】
電圧制御部２３は、制御電圧決定部２８で決定された立上り時間及び調光率の各設定値を基に、設定された立上り時間の矩形波を発生し、この矩形波を基に形成される制御電圧Ｖ２を生成する。また、電圧制御部２３は、制御電圧決定部２８で決定された調光率の設定値を基に、制御電圧Ｖ２の矩形波のパルスデューティを決定する。この矩形波のパルスデューティの決定は、図５に示すように、周期Ｔ（周波数ｆ＝１／Ｔ）の矩形波のオンデューティの幅ｗを調整することにより行われる。即ち、電圧制御部２３は、設定された調光率に対応して、矩形波のオンデューティ幅ｗを替えることにより、制御電圧Ｖ２を制御し、光源１０を調光制御する。
【００２０】
上記のように構成された本システムにおいて、ユーザがシステム制御部３０における操作部３１の操作により、各調光システム番号の電源回路２０に対して、調光率及び矩形波の立上りのタイミングを決める立上り時間の各設定値を指示すると、この指示に基く調光率信号と矩形波の立上り時間信号、及び調光システム番号を含む調光制御信号が、通信路４０を介して無線通信部３２から各電源回路２０の設定部２２の無線通信部２６に伝送される。各電源回路２０の設定部２２は、無線通信部２６で受信した調光制御信号を基に、調光システム番号を検出して自電源回路２０に指定された調光率と立上り時間を設定する。
【００２１】
ここで、操作部３１により各電源回路２０における矩形波の立上り時間を互いに相違するように設定した場合と、従来の各電源回路２０における矩形波の立上り時間を同じに設定した場合とについて、図６、図７を参照して説明する。ここでは、操作部３１で指定される各電源回路２０の調光率は一定としている。
【００２２】
図６（ａ）（ｂ）（ｃ）に示すように、本システムの電源回路２０においては、第１電源回路と第２電源回路乃至第ｎ電源回路までの各制御電圧Ｖ２は、それぞれの矩形波の立上り時間ｔ１、ｔ２、乃至ｔｎが互いに相違するように設定されている。このとき、各電源回路２０における突入電流は、図６（ｄ）（ｅ）（ｆ）に示すように、矩形波の立上り時間ｔ１、ｔ２、乃至ｔｎに対応して分散されて流れ、それぞれ略同じピーク電流値ｉａを持つ。ここで、各電源回路２０の突入電流の和を主電源部５０の動作電流Ｉとすると、この動作電流Ｉは、図６（ｇ）に示すように、時間的に分散された突入電流の和となる。この動作電流Ｉのピーク電流値をＩａとすると、このピーク電流値をＩａは、立上りのタイミングが同じである場合のピーク電流値Ｉｂ（図７参照）に比べて低くなる。従って、主電源部５０は、このピーク電流値が低くなることにより、供給できる最大供給電流を低下することができる。また、主電源部５０における電流の流れが分散され、電流の流れない時間帯が減少するので、電流の流れを時間的に平準化することができる。これにより、主電源部５０の電源効率が向上する。また、動作電流Ｉのピーク電流値を低下することができるので、動作電流Ｉに含まれる矩形波の周波数成分の電流に基いて電源ラインなどから放射されるノイズが低減され、周辺の電子機器等に電波ノイズの妨害を与えることを抑制することができる。
【００２３】
これに対し、各電源回路２０における矩形波の立上り時間を同じに設定した場合は、図７（ａ）（ｂ）（ｃ）に示すように、第１電源回路と第２電源回路から第ｎ電源回路までの各制御電圧Ｖ２は、各矩形波の立上り時間が同じとなるので、全電源回路２０における矩形波による突入電流のタイミングが一致する。このため、図７（ｄ）に示すように、主電源部５０に流れる各電源回路２０の電流の合計の動作電流Ｉは、各電源回路２０における矩形波のオンデューティの時間帯に集中する突入電流よりなり、その電流のピーク電流値Ｉｂは、同じタイミングの各電源回路２０の突入電流のピーク電流値ｉａの略ｎ倍（ｎは電源回路２０の数）に増大する。即ち、主電源部５０においては、同じ立上りのオンデューティの時間帯においてのみ電力が消費されるので、ピーク電流値がＩａに比べてＩｂのように大きくなる。このため、主電源部５０の最大供給電流を増大する必要があると共に、オフデューティも全て同じ時間帯のため、電流が流れない時間帯が集中して、主電源部５０における電力消費が時間的に平準化されず、電源効率が低下する。また、動作電流Ｉのピーク電流値の増大により、電波ノイズのレベルが大きくなり、周辺の電子機器等に対する電波ノイズの影響も大きくなる。
【００２４】
このように、本実施形態の調光制御システムによれば、複数の電源回路における制御電圧Ｖ２の矩形波が全て同じタイミングで立上がることがなくなるので、各電源回路２０の突入電流の集中を避けて分散することができ、立上りのタイミングが同じである場合に比較して、商用電源の電力供給側における主電源部５０の動作電流Ｉのピーク電流値を低下できる。これにより、主電源部５０の最大供給電流を低下することができると共に、電流が流れない時間帯の集中が低減されることにより、電力の使用が時間的に平準化され、主電源部５０の電源効率が向上する。また、主電源部５０側に設けられる、例えば、ブレーカやヒューズ等の電気部品等の最大仕様定格等（電力値、電流値など）を低下することができる。
【００２５】
また、突入電流の分散により、主電源部５０に流れる矩形波の周波数に基く高周波電流成分も分散され、その電流値も低減される。これにより、主電源部５０と各電源回路２０を接続する電力給電線５１の配線等から放射される矩形波の周波数のノイズを低下することができ、各電源回路２０の近くに存在する他の電子機器や無線機器等への電波ノイズの妨害を軽減することができる。
【００２６】
次に、本発明における第２の実施形態に係る調光制御システムについて、図８乃至図１２を参照して説明する。本システムは、矩形波の立上りのタイミングが相違する２つの電源回路のうち、一方が動作電圧の交流波形のゼロクロスの時点であり、他方がゼロクロス点から矩形波のオフデューティに相当する期間が経過した時点となるように制御する。他の構成は、前記実施形態と同様である。
【００２７】
システム制御部３０は、操作部３１からの指定により、本システムにおける電源回路２０を、その調光システム番号が奇数番号の場合と、偶数番号の場合で分けて、奇数番号と偶数番号との電源回路２０の各矩形波の立上りのタイミングが互いに相違するように設定すると共に、一方が動作電圧Ｖ１の交流波形のゼロクロスの時点であり、他方がゼロクロス点から矩形波のオフデューティに相当する期間が経過した時点となるように各電源回路２０を制御する。ここでは、奇数番号と偶数番号の電源回路２０の矩形波は、ともに周波数を３２ｋＨｚとし、オンデューティ幅ｗを１／６４ｋＨｚの時間期間としている。図８（ａ）に示すように、動作電圧Ｖ１の波形において、正弦波の交流波形の値が正から負、又は負から正に変わる点をゼロクロス点ｐとし、図８（ｂ）に示すように、奇数番号の電源回路２０の制御電圧Ｖ２の矩形波は、ゼロクロス点ｐで立上るように設定され、図８（ｃ）に示すように、偶数番号の電源回路２０の制御電圧Ｖ２の矩形波は、ゼロクロス点ｐから矩形波のオフデューティに相当する期間（ここでは、オフデューティ期間を１／６４ｋＨｚの時間とする）が経過した時点で立ち上がるように設定される。即ち、偶数番号の電源回路２０においては、矩形波の１周期の前半部分をオフデューティとし、その後半部分をオンデューティとする。これにより、奇数番号と偶数番号の各電源回路２０は、それらの矩形波の立上りが１／６４ｋＨｚの時間だけずれるので、互いのオンデューティ期間をほぼ重ならないようにして、少なくとも奇数番号と偶数番号に分けた各電源回路２０において、それらの突入電流及び使用電力が集中せず、分散するようにしている。
【００２８】
ここで、制御電圧Ｖ２の矩形波のオンデューティの設定について説明する。操作部３１で設定された調光率に対応するオンデューティの割合は、予め下記の表１に示すようにテーブル化され、電圧制御部２３に記憶されている。従って、電圧制御部２３は、制御電圧決定部２８で決定された調光率を基に、この表１のテーブルから自動的にオンデューティの割合（％）を選択して、設定された調光率に一致するようにオンデューティ幅を制御する。なお、電源回路２０がシステム制御部３０と通信路４０を介して接続されていない場合は、設定部２２に調光率調整用のボリュウム等を設けて、個々に調光率を調整してもよい。
【００２９】
【表１】
0005243769.tif 000002
【００３０】
ここで、ユーザが、例えば、操作部３１で調光率を５％とし、奇数の調光システム番号に指示したとき、表１より調光率５％におけるオンデューティの割合が１４％になることから、電源回路２０における制御電圧Ｖ２の周波数を３２ｋＨｚとする矩形波の波形は、図９に示されるように、１つの矩形波の幅（周期Ｔ１）が１／３２０００（ｓ）、オンデューティ幅ｗ１が１／３２０００×０．１４（ｓ）となる。このように、オンデューティ幅は、ユーザの指示した調光率に基いて表１から容易に計算され、このオンデューティ幅の制御により光源１０が調光制御される。また、調光システム番号が偶数の場合も、表１と同様のテーブルを利用し、計算によりオンデューティ幅を求めることができる。
【００３１】
上記のように矩形波のオンデューティの割合を１４％としたとき、調光システム番号が奇数番号と偶数番号の各電源回路２０における矩形波の立上りのタイミングをオフデューティだけ互いにずらした場合と、両者の矩形波の立上りのタイミングが同じである場合とについて、図１０と図１１を参照して説明する。ここでは、オンデューティの割合が５０％より小さい１４％に設定されているので、図１０（ａ）（ｂ）に示すように、奇数番号の電源回路２０における矩形波の立上りのタイミングと、偶数番号の矩形波の立上りのタイミングをオフデューティ時間だけずらしている。従って、図１０（ｃ）に示すように、主電源部５０の動作電流Ｉは、奇数番号と偶数番号の電源回路２０における制御電圧Ｖ２の矩形波のオンデューティ期間が互いに重ならないことにより、そのピーク電流値Ｉｃが、全電源回路２０の矩形波の立上りのタイミングが同じである場合のピーク電流値Ｉｄ（図１１参照）と比較して、約半部（奇数番号と偶数番号の電源回路数がそれぞれ同数として）になるので、主電源部５０の電源効率が良くなる。
【００３２】
これに対し、図１１（ａ）（ｂ）（ｃ）に示すように、奇数番号と偶数番号の電源回路２０の各立上りのタイミングが同じである場合は、動作電流Ｉのピーク電流値Ｉｄは、個々の電源回路２０の各ピーク電流値の和となるので、前記の立ち上がりのタイミングをずらした場合と比較して略２倍となり、かつ、電力供給のオフ時間が長いので電源効率が悪くなる。
【００３３】
また、調光システム番号の奇数番号と偶数番号の電源回路２０の調光率をより大きくして、それぞれオンデューティ比を５０％以上とした場合の奇数番号と偶数番号との電源回路２０における制御電圧Ｖ２の波形を図１２（ａ）（ｂ）に示す。これらの奇数番号と偶数番号との電源回路２０において、矩形波の立上りをオフデューティ時間だけ互いにずらすことにより、図１２（ｃ）に示すように、突入電流が分散される。これにより、前記と同様に、主電源部５０の動作電流Ｉは、奇数番号と偶数番号の電源回路２０の矩形波の立上りのタイミングが同じである場合に比較して、そのピーク電流値Ｉｅが低くなると共に、電流が流れない時間帯がなくなるので、電源部５０の電源効率が向上する。
【００３４】
このように、上記第２の実施形態の調光制御システムによれば、矩形波の立上りのタイミングが相違する２つの電源回路２０において、互いの矩形波の立上りのタイミングがオフデューティに相当する期間だけずらすことができるので、電源回路２０の矩形波による突入電流の集中がさらに低減される。これにより、それらの突入電流が確実に分散されて電源部５０に流れるピーク電流値がより低下すると共に、電流が流れない時間帯が減少して電力の使用がより平準化されるので、電源部５０の電源効率がさらに向上する。
【００３５】
なお、本発明は上記各種の実施形態の構成に限定されるものではなく、発明の趣旨を変更しない範囲で適宜に種々の変形が可能である。上記実施形態では、矩形波の周波数が３２ｋＨｚの場合について説明したが、この矩形波の周波数は、これらに限定されることなく自由に選択される。また、矩形波の立上りを、調光システム番号が奇数と偶数の２つの場合に分けて立上り時間をオフデューティ時間だけずらしたが、奇数、偶数に限らず、より細かく区分して立ち上がりのタイミングをずらすこともでき、また、調光システム番号毎にずらすこともできる。また、少なくとも隣接する電源回路の矩形波の立上りのタイミングを互いに相違するように設定することにより、スイッチング素子の非線形特性により、矩形波の立上りのエッジ部等で発生する高周波ノイズや矩形波の周波数の高調波ノイズも時間的に分散されるので、これら高周波ノイズ、高調波ノイズが隣接間で相乗されて、電波ノイズが増大することを抑制することもできる。また、各電源回路とシステム制御部との通信路に無線通信を用いたが、伝送線による有線を用いることや、各電源回路に共通に電力を供給する交流電力配線を利用する電力線搬送通信（ＰＬＣ）を用いることもできる。
【図面の簡単な説明】
【００３６】
【図１】本発明の第１の実施形態に係る照明制御システムの構成図。
【図２】上記システムの電源回路の構成図。
【図３】（ａ）は上記電源回路の交流電源電圧波形を示す図、（ｂ）は同回路の制御電圧波形を示す図、（ｃ）は同回路の重畳出力電圧波形を示す図、（ｄ）は同回路のフィルタ部出力波形を示す図。
【図４】上記電源回路の設定部の構成図。
【図５】上記電源回路の制御電圧矩形波を説明する図。
【図６】（ａ）は上記システムにおける第１電源回路の制御電圧波形を示す図、（ｂ）は第２電源回路の制御電圧波形を示す図、（ｃ）は第ｎ電源回路の制御電圧波形を示す図、（ｄ）は第１電源回路の突入電流波形を示す図、（ｅ）は第２電源回路の突入電流波形を示す図、（ｆ）は第ｎ電源回路の突入電流波形を示す図、（ｇ）は主電源部の動作電流を説明する図。
【図７】（ａ）は矩形波の立上りのタイミングが同じ場合の第１電源回路の制御電圧波形を示す図、（ｂ）は第２電源回路の制御電圧波形を示す図、（ｃ）は第ｎ電源回路の制御電圧波形を示す図、（ｄ）は主電源部の動作電流を説明する図。
【図８】（ａ）は本発明の第２の実施形態に係る照明制御システムにおける動作電圧波形を示す図、（ｂ）は同システムの奇数番号の電源回路における制御電圧波形を示す図、（ｃ）は偶数番号の電源回路における制御電圧波形を示す図。
【図９】上記電源回路の矩形波の周波数が３２ｋＨｚ、調光率５％における制御電圧のオンデューティ波形を示す図。
【図１０】（ａ）は上記システムの調光率５％における奇数番号の電源回路の制御電圧波形を示す図、（ｂ）は偶数番号の電源回路の制御電圧波形を示す図、（ｃ）は主電源部の動作電流を説明する図。
【図１１】（ａ）は矩形波の立ち上がりのタイミングが同じ場合の上記奇数番号の電源回路の制御電圧波形を示す図、（ｂ）は偶数番号の電源回路の制御電圧波形を示す図、（ｃ）は上記各電源回路に電力を供給する主電源部の動作電流を説明する図。
【図１２】（ａ）は矩形波のオンデューティ比が５０％以上の場合の上記奇数番号の電源回路の制御電圧を示す図、（ｂ）は偶数番号の制御電圧を示す図、（ｃ）は主電源部の動作電流を説明する図。
【符号の説明】
【００３７】
１０  光源
２０  電源回路
３０  システム制御部（制御手段）
４０  通信路
ｐ  ゼロクロス点
Ｖ１  動作電圧
Ｖ２  制御電圧
【図１】
0005243769.tif 000003
【図２】
0005243769.tif 000004
【図３】
0005243769.tif 000005
【図４】
0005243769.tif 000006
【図５】
0005243769.tif 000007
【図６】
0005243769.tif 000008
【図７】
0005243769.tif 000009
【図８】
0005243769.tif 000010
【図９】
0005243769.tif 000011
【図１０】
0005243769.tif 000012
【図１１】
0005243769.tif 000013
【図１２】
0005243769.tif 000014